(57)【要約】【課題】あたかも現実の文書、本、雑誌、新聞などの紙媒体による情報を読むように、電子化された文書を閲覧することが可能な、入力装置、電子ブックなどを提供する。【解決手段】シート開閉状態検出装置は、電極を有する複数のシートを有する冊子状インターフェイス部と、前記冊子状インターフェイス部に接続されたコンテンツデータ読出部とを有し、前記コンテンツデータ読出部は、隣り合うシートの電極間の容量に基づいて読み出すデータ及びその画像処理の要否を判定する。【選択図】　　図５
2004145553.tif 000002
【特許請求の範囲】
【請求項１】
それぞれが１又は複数の電極を有する複数のシートを有する冊子状インターフェイス部と、
前記冊子状インターフェイス部に接続されたコンテンツデータ読出部と
を有し、
前記コンテンツデータ読出部は、隣り合うシートの電極間の容量に基づいて、読み出すデータ及びその画像処理の要否を判定する
ことを特徴とする、ページ開閉状態入力装置。
【請求項２】
それぞれが１又は複数の電極を有する複数のシートを有する冊子状インターフェイス部と、
冊子状インターフェイス部の電極間の容量を検出する容量検出部と、
容量検出部の検出した値に基づいて、読み出すページ画像データ及びその画像処理の要否を判定するページ開閉状態判定部と、
前記ページ開閉状態判定部の判定に従って電子化されたデータを読み出す読出制御部と、
容量検出部からの画像処理命令に従って、読み出したデータを画像処理する画像処理部と、
を有することを特徴とする、電子ブック。
【請求項３】
請求項２に記載の電子ブックにおいて、
前記電子ブックは：
電子化された文書データを記憶しており、この電子化された文書データを読出制御部からの要求に応じて、電子化された文書データの全部又は一部を前記画像処理部に提供するコンテンツデータ記憶部と、
前記画像処理部から画像データを受け取り、これを表示する表示部と
をさらに具備することを特徴とする、電子ブック。
【請求項４】
電子化された文書の内容を表示する方法において、
隣り合うシートの電極間の容量を測定するステップと、
測定した容量の値に基づいて、隣り合うシートの開き状態を判定し、判定結果情報を出力するステップと、
前記判定結果情報に基づいて、文書データから表示対象ページのデータを読み出すステップと、
を有することを特徴とする、電子化された文書を表示する方法。
【請求項５】
請求項４に記載の方法において、
前記方法は、判定結果情報に応じて、読み出した表示対象ページのデータの画像処理を行うステップをさらに具備することを特徴とする、電子化された文書を表示する方法。
【発明の詳細な説明】
【０００１】
【発明の属する技術分野】
本発明は、電子化された文書のためのページ開閉状態入力装置、電子ブック、並びに電子化された文書の表示方法に関する。
【０００２】
【従来の技術】
近年、電子情報技術の発展に伴い、書籍・文書など紙媒体に記録された情報を電子化する技術、および電子化された文書（以下、「電子化文書」という）をコンピュータや携帯情報端末装置（ＰＤＡ（Ｐｅｒｓｏｎａｌ　Ｄａｔａ　Ａｓｓｉｓｔａｎｔ））などの情報処理装置を用いて閲覧するための技術の開発が進展している。
【０００３】
電子化された文書を情報処理装置を用いて閲覧する技術として、本やノートをめくるようなマンマシンインタフェースを提供し、電子化された文書中の任意の頁を表示させる技術がある。たとえば、以下の特許文献１は、それぞれ異なる位置に電極が埋め込まれた複数のシートと、上記電極を検出するタブレットとを用いて、タブレット上に重なった複数のシートの電極位置を検出し、この電極位置からどのページが現在開かれているかを判断し、開かれているページを表示する技術を開示している。また、特許文献２は、各ページの固有の座標位置に設けられた指示器の座標を、座標入力装置によって検出することにより、どのページが現在開かれているかを判断する技術を開示している。
【０００４】
【特許文献１】
特開平６−３４８４００号公報（段落番号［０００７］、図１）
【特許文献２】
特開平６−２７４４５８号公報（段落番号［００５６］〜［００５９］、図５）
【発明が解決しようとする課題】
電子化された文書の中には、記載内容の前後関係を参照しながら読み進めることが好まれるものがある。たとえば、漫画、劇画、コミックなどは、以前のコマの内容や科白を参照しながら読んだ方が、臨場感が増したり感情移入が深まることが少なくない。
【０００５】
また、辞書（電子化されていない）を引いて調べたい事項を検索し、調べる場合には、少し開いたページ間の隙間からわずかに見える文字や図を手がかりにして、調べたい事項が記載されている場所のあたりをつけることにより、より迅速な検索を行うことができる。
【０００６】
上記のような使い方を電子化された文書において行えるようにすれば、より電子化された文書の利用・普及の促進を図ることが期待できる。
【０００７】
しかし、上記のような従来の技術では、どのページが開かれているかを検出して、開いているページを液晶表示装置などに表示することは可能であるが、ページ捲りの中間状態、すなわち読み終わったページを捲り上げた後完全に捲り終えて新らたなページを開き終えるまでのいずれかの時点の状態を検出して、この状態を表示することはできない。従って、以前のコマの内容や科白を参照するには、完全に以前のページに戻す操作をしてから再び現在のページに再度戻るという操作が必要となり、このような操作がユーザを煩わせるおそれがある。
【０００８】
本発明の目的は、あたかも現実の文書、本、雑誌、新聞などの紙媒体による情報を読むように、電子化された文書を閲覧することが可能な、入力装置、電子ブックなどを提供することにある。
【０００９】
【課題を解決するための手段】
上記課題を解決するための手段として、本発明は以下の特徴を有する。
本発明の第１の態様は、ページ開閉状態入力装置として成立する。
ページ開閉状態入力装置は、ユーザが電子化された文書（文字、図形、画像、音声のいずれか又はこれのうち複数の組み合わせからなる著作物；以下、「コンテンツ」と称す）を閲覧するための、ページを進めたり戻したりする指示を与えるユーザインターフェイスとして機能する。このページ開閉状態入力装置は、ユーザが実際に本などを捲るのと同様の操作で、電子化された文書（コンテンツ）を閲覧することを可能とするものである。
【００１０】
このページ開閉状態入力装置は、今どのページが開かれているかを検出するだけでなく、どの程度開かれているのか、どのような状態で開かれているのかを検出することが可能である。
【００１１】
ページ開閉状態入力装置は、それぞれが１又は複数の電極を有する複数のシートを有する冊子状インターフェイス部と、前記冊子状インターフェイス部に接続されたコンテンツデータ読出部とを有する。この冊子状インターフェイス部は、ユーザが手捲り可能な模擬冊子として働き、冊子状インターフェイス部が有する各シートはユーザのページ繰り動作により一枚一枚捲ることが可能となっている。
【００１２】
前記コンテンツデータ読出部は、冊子状インターフェイス部の隣り合うシートの電極間の容量に基づいて、シートの開閉状態の判断を行う。シートが捲られると、隣り合うシートの電極は離間する。この電極をコンデンサと見立てた場合、コンデンサの容量が変化することとなる。このコンデンサ容量の変化により、模擬冊子たる冊子状インターフェイス部におけるシートの開閉状態を知ることができる。
【００１３】
コンテンツデータ読出部は、冊子状インターフェイス部の隣り合うシートが有する電極によって構成されるコンデンサの容量に対応する値を読み取り、この容量に対応する値に基づいて、どのページが開かれているのか、どの程度開かれているのか（完全に開かれているのか、あるいは開いている途中の状態なのか）を判断し、この判断の結果に従ってコンテンツデータの読み出し、及び必要な場合の画像処理を行う機能を有する。
電極間の容量は、電圧に変換して測定することが考えられるが、本発明はこれに限られることなくその他の方法によって測定するようにしてもよい。
本発明の第２の態様は、電子ブックとして成立する。この電子ブックは、電極を有する複数のシートを有する冊子状インターフェイス部を有し、冊子状インターフェイス部からとしてシートの電極によって構成されるコンデンサの容量を読み取る容量検出部と、容量検出部が検出した愛に基づいてページ開き位置およびどの程度開枯れているかを判断し、判断の結果を出力するページ開閉状態判断部と、前記ページ開閉状態判断部からの命令に応じて、電子化された文書データを読み出す読出制御部と、前記ページ開閉状態判断部からの命令に応じて応じて、読み出した文書データを画像処理し、画像データを出力する画像処理部とを有する。
【００１４】
本発明の第３の態様は、電子化された文書の内容を表示する方法として成立する。
この方法は、それぞれが１又は複数の電極を有する複数のシートの開閉状態を検出し検出したシートの開閉状態に応じて電子化された文書の内容を表示する。この方法は、隣り合うシートの電極間の容量を測定するステップと、測定した容量の値に基づいて、隣り合うシートの開き状態を判定し、判定結果情報を出力するステップと、前記判定結果情報に基づいて、コンテンツデータから表示対象ページのデータを読み出すステップとを有している。
【００１５】
読み出された表示対象ページのデータは、判定結果情報に応じて、画像処理されるようにしてもよい。たとえば、判定結果情報がシートが完全に開かれておらず、捲られている途中であることを示す場合は、当該シートに対応する表示対象ページをユーザにページが捲られている途中のようにたわんだ状態となるように、当該画像データに幾何学変形を行うようにしてもよい。
【００１６】
【発明の実施の形態】
以下に図面を参照しながら本発明の実施の形態について詳細に説明する。
【００１７】
［第１の実施の形態］
本発明の第１の実施の形態は、ページ開閉状態入力装置を有する電子ブックとして提案される。ここで、「電子ブック」とは、ユーザによるページ捲りに応じて、表示する内容を変化させて電子データ化されたコンテンツをユーザに了知させる装置をいう。また、「コンテンツ」とは、文字、画像（静止画像、動画像の双方を含む）、音声のいずれか一つ若しくはこれらの複数の組み合わせなどからなる著作物をいう。
【００１８】
図１は、本実施の形態にかかる、開いた状態の電子ブックの一例を示す斜視図であり、図２は閉じられつつある状態の電子ブックの一例を示す斜視図である。電子ブック１００は、表紙部１０１と、この表紙部１０１に連結された軸部１０２とを有している。表紙部１０１は軸部１０２を中心として回動可能に接続されており、必要に応じて閉じることが可能となっている（図２参照）。
【００１９】
表紙部１０１はそれぞれ表示部１０３を有している。表示部１０３はコンテンツを表示・再生する機能を有している。表示部１０３はたとえば液晶ディスプレイ装置を用いて構成される。
【００２０】
電子ブック１００は、さらにページ開閉状態入力装置１０４を有している。ページ開閉状態入力装置１０４は、ユーザによるページ捲り動作を検出して、ページ捲り状態に応じたコンテンツデータの読み出し、表示を制御する機能を有する。
【００２１】
このページ開閉状態入力装置１０４は、複数のシートからなる冊子状インターフェイス部１０５と、この冊子状インターフェイス部１０５に接続されるとともに、表示部に接続されたコンテンツデータ読出部とを有している。図１，２に示す構成例では、コンテンツデータ読出部は、軸部１０２内に格納されているので図示されていない。
【００２２】
冊子状インタフェース部１０５を構成するシートは、ユーザが一般の冊子、書籍などを手捲りするのと同様に捲ることが可能なシート部材で形成されている。各シートは、所定の位置に埋設された一又は複数の電極を有している。隣接するシートに設けられた電極は互いに対向するように位置しており、対向する一対の電極は、コンデンサを構成する。このコンデンサの容量は、シートがユーザに捲られることにより、コンデンサを構成する電極間の距離、電極面の相対角度等が変化するため、変化する。
【００２３】
図３は、冊子状インタフェース部を構成するシート３０１の構成例を示す図であり、図４は、図３における断面線Ａ−Ａに沿った断面図である。この構成例におけるシート３０１は、電極３０２を有しており、電極３０２は配線３０３によって、後述するコンテンツデータ読出部に接続されている。また、図４に示すように、電極３０２は芯材４０１に収納されている状態で絶縁性被覆層４０２によって両面をコーティングされている。これにより、シート３０１同士が重なった状態でも電極３０２間が短絡することはなく、対向する電極３０２同士がコンデンサを形成することができる。
【００２４】
コンテンツデータ読出部は、それぞれの対向する一対の電極の容量を検出する機能を有する。検出した容量の値に基づいて、冊子状インターフェイス部１０５のどのシート３０１がどのように開かれているか（以下、「シート開閉状態」という）を検出し、検出したシート開閉状態に応じて、コンテンツデータから対応する部分（たとえば、冊子状インターフェイス部の第２，第３ページが見開きの状態であることが検出された場合、コンテンツデータの第２，第３ページに相当するデータ）を読み出し、必要な場合はこれに画像処理を施して表示部１０３に供給して表示させる機能を有する。
【００２５】
図５は、冊子状インターフェイス部１０５とコンテンツデータ読出部５０１およびこれに接続された表示部１０３、コンテンツデータ記憶部５０２を示すブロック図である。コンテンツデータ読出部５０１は、容量検出部５０３と、電圧メモリー部５０４と、シート開閉状態判断部５０５と、読出制御部５０６と、画像データバッファ５０７と、画像処理部５０８とを有している。
【００２６】
容量検出部５０３は、前述の冊子状インターフェイス部１０５に接続されている。容量検出部５０３は、冊子状インターフェイス部１０５の隣接する電極間の容量を検出し、検出した容量を示す値を電圧メモリー部５０４に渡すように機能する。
【００２７】
図６は、容量検出部５０３の回路構成例を示す図である。この例に示す容量検出部５０３は、オペアンプ６０１と、交流電源６０２と、アナログ／デジタルコンバータ６０４とを有している。オペアンプ６０１の端子６０２は、冊子状インターフェイス部１０５の各シート３０１１〜３０１Ｎの電極３０２１、…、３０２Ｎに順に接続されるように構成される。すなわち、まず、電極３０２１，３０２２に端子６０２１，６０２２が接続され、この電極３０２１，３０２２によって形成されるコンデンサの容量測定が完了すると、つぎに端子６０２１，６０２２は電極３０２２，３０２３に接続される。この電極３０２２，３０２３によって形成されるコンデンサの容量測定が行われる。以下同様に、端子６０２１，６０２２はそれぞれのコンデンサの容量を測定するように電極３０２Ｎー１，３０２Ｎまで接続される。
【００２８】
端子６０２１，６０２２が電極３０２ｘ−１、３０２ｘ（ｘは２からＮまでのいずれかの整数）に接続されると、交流電源６０２から一定の電流が流れ、電極３０２ｘ−１、３０２ｘによって形成されるコンデンサの容量に反比例した電圧が端子６０２１，６０２２に現れる。すなわち、シートが閉じられ電極が接近している状態では、電極により形成されたコンデンサの容量が大きくなり、小さな電圧が端子に現れる。一方、シートが開かれて電極が離間している状態では、電極により形成されたコンデンサの容量が小さくなり、大きな電圧が端子に現れる。
【００２９】
オペアンプ６０１は、この端子６０２１，６０２２に現れる電圧を増幅して出力し、アナログ／デジタルコンバータ６０４に供給する。アナログ／デジタルコンバータ６０４は、供給された電圧を数値データに変換してこれを電圧メモリー部５０４に渡す。
【００３０】
このようにして、容量検出部５０３は、隣接するシートの電極によって構成されるコンデンサの容量を電圧として読みとり、読みとった結果を電圧メモリー部５０４に渡すように動作する。
【００３１】
再び、図５に戻り、コンテンツデータ読出部５０１の説明を続ける。
電圧メモリー部５０４は、各ページ間がどの程度開かれているかを示す情報として、前記電圧を格納する。電圧値は、各コンデンサ毎に格納される。たとえば、電極３０２１，３０２２によって形成されるコンデンサをＣ１と、電極３０２２，３０２３によって形成されるコンデンサをＣ２と，…、電極３０２Ｎ−１，３０２Ｎによって形成されるコンデンサをＣＮー１とすると、電圧メモリー部５０４は、Ｃ１＝１［ｍＶ］、Ｃ２＝１［ｍＶ］、…、ＣＮ−１＝１［ｍＶ］というように、それぞれのコンデンサの電圧値を格納する。この電圧値を参照することによりどのシート間がどの程度開かれているかを知ることが可能となる。
【００３２】
シート開閉状態判断部５０５は、電圧メモリー部５０４に格納された電圧値データを読み取り、開かれたシートに対応したコンテンツデータを判定して、ページ指示データを生成し、これを読出制御部５０６に伝えるとともに、必要な場合には画像処理部５０８に画像処理を命令する機能を有する。「開かれたシートに対応したコンテンツデータ」とは、コンテンツデータ記憶部５０２に記憶されたデータのうち、対応するページに相当するデータである。また、ページ指示データとは、開かれたシートに対応したコンテンツデータを特定する情報であって、たとえばページ番号などである。
【００３３】
読出制御部５０６は、シート開閉状態判断部５０５から伝えられたページ指示データを受け取り、コンテンツデータ記憶部５０２からページ指示データに対応したページ画像データを読み出しこれを画像データバッファ５０７に供給する。
【００３４】
画像データバッファ５０７は、供給されたページ画像データを一時的に保持し、所定のタイミングで画像処理部５０８に供給するように動作する。なお、画像データバッファ５０７はコンテンツデータ読出部５０１の必須の構成要素ではなく、省略することも可能である。
【００３５】
画像処理部５０８は、ページ指示データに対応したページ画像データを受け取るとともに、シート開閉状態判断部５０５からの画像処理要求に応じて、必要な場合にはページ画像データの画像変形処理を行い、ページが捲られている途中の状態を表示部に表示させるように動作する。画像変形処理としては、拡大・縮小、アフィン変換、透視変換、テクスチャマッピングなどの画像変形処理手法を用いることが考えられる。これらによる画像変形により、ページが持ち上げられ傾斜している状態や、ページが曲げられながら持ち上げられている状態などを、実際の本などが捲られているのと同様に表現するように動作する。
【００３６】
画像処理部５０８は、シート開閉状態判断部からの画像処理要求がなされている場合は、変形処理を行ったページ画像データを、そうでない場合は、ページ画像データをそのまま表示部１０３に供給する。
【００３７】
［電子ブックの動作例］
次に、本実施の形態にかかる電子ブックの動作例について説明する。
［１．ページ開状態］
まず最初に、ある隣接するシートＳＴ１，ＳＴ２が完全に開かれた状態での電子ブックの動作例を説明する。
【００３８】
図７は、電子ブック１００が起動した後、冊子状インターフェイス部１０５のシートＳＴ１，ＳＴ２が開かれている状態を示す斜視図である。また、図８は、図７の状態における冊子状インターフェイス部１０５の断面図であり、図９は、図７の状態における容量検出部５０３によって読みとられた電圧を示すグラフである。
【００３９】
図７では、冊子状インターフェイス部１０５のあるシートＳＴ１，ＳＴ２が開かれている状態となっている。このとき、図８に示すように、シートＳＴ１，ＳＴ２の有する電極Ｅ１，Ｅ２は大きく離間しているが、シートＳＴ２、ＳＴ３，ＳＴ４の電極Ｅ２，Ｅ３，Ｅ４は互いに重なり合うように近接して位置している。この状態において、容量検出部５０３が読みとった電圧値は、図９に示すようになる。シート開閉状態判断部５０５は、それぞれの電圧値を第１の基準値（１０ｍＶ）と比較し、この第１の基準値を超える電圧値を有するシートＳＴ１，ＳＴ２は、完全に開かれていると判断し、シートＳＴ１，ＳＴ２が完全に開かれている場合に表示するページＰ１，Ｐ２を読出制御部５０６に伝える。読出制御部５０６はコンテンツデータ記憶部５０２からページＰ１，Ｐ２に相当するページ画像データを読み出し、画像データバッファ５０７に渡す。読み出されたページ画像データは、画像処理部によって変形されることなく、表示部１０３に供給され、図７に示すように表示部１０３に表示される。
【００４０】
［２．ページ捲り中間状態］
次に、図７の状態に続いて、ユーザがページを捲るためシートＳＴ２を少し持ち上げた状態における動作例を説明する。
図１０は、冊子状インターフェイス部１０５のシートＳＴ１，ＳＴ２が開かれ、シートＳＴ２がやや持ち上げられている状態を示す斜視図である。また、図１１は、図１０の状態における冊子状インターフェイス部１０５の断面図であり、図１２は、図１０の状態における容量検出部５０３によって読みとられた電圧を示すグラフである。
【００４１】
図１０は、冊子状インターフェイス部１０５のシートＳＴ１はそのままであるが、シートＳＴ２は、やや持ち上げられ、シートＳＴ３と少し離間している状態となっている。このとき、図１１に示すように、シートＳＴ１，ＳＴ２の有する電極Ｅ１，Ｅ２は大きく離間し、シートＳＴ２、ＳＴ３の電極Ｅ２、Ｅ３はやや間隔が開くが、シートＳＴ３，ＳＴ４の電極Ｅ３，Ｅ４は互いに重なり合うように近接して位置している。この状態において、容量検出部１０５が読み取る電圧値は、図１２に示すようになる。
【００４２】
シート開閉状態判断部５０５は、それぞれの電圧値を第１の基準値（１０ｍＶ）と比較し、第１の基準値を超える値を有するシートＳＴ１，ＳＴ２が完全に開かれていると判断し、シートＳＴ１，ＳＴ２が完全に開かれている場合に表示するページＰ１，Ｐ２に相当するページ画像データを読み出すよう読出制御部５０６に命令する。次に、シート開閉状態判断部５０５は、それぞれの電圧値を第２の基準値（１ｍＶ）と比較し、第１の基準値を下回るが第２の基準値を超えるシートＳＴ２，ＳＴ３が隣り合うシートが完全に開かれた状態と完全に閉じられた状態の間の中間状態、すなわちページ捲り状態にあると判断する。ページ捲り状態となっている場合、シート開閉状態判断部５０５は、ページ捲り状態にあるページの処理として、ページＰ３はページＰ２脳ら面のため見えないものとして扱い、ページＰ４のみ読み出すよう読出制御部５０６に命令する（ページＰ３は、表示されるページＰ２によって隠れる面なので表示しない）。また、シート開閉状態判断部５０５は、シートＳＴ２がページ捲り状態にあると判断し、シートＳＴ２に対応するページＰ２のページ画像データをページ捲り途上にあるものとして表示させるよう、画像処理部５０８に画像処理を命ずる。
【００４３】
シート開閉状態判断部５０５によってページＰ１，Ｐ２およびＰ４のページ画像データの読み出しを命じられた読出制御部５０６は、ページＰ１，Ｐ２，Ｐ４に対応するページ画像データをコンテンツデータ記憶部５０２から読み出す。読み出したページ画像データのうち、ページＰ２に相当するページ画像データは画像処理部５０８によって変形される。画像処理を受けたページＰ２のページ画像データ及び他のページＰ１，Ｐ４のページ画像データは表示部１０３に供給され、図１０に示すようにページＰ１の画像はそのまま表示され、ページＰ２に相当する画像はページが捲られているように変形されて表示され、ページＰ４に相当する画像はページＰ２の下に一部分表示される。
【００４４】
［３．ページ捲り中間状態］
次に、図１０の状態に続いて、ユーザがページを捲るためシートＳＴ２をさらに捲った状態における動作例を説明する。
図１３は、冊子状インターフェイス部１０５のシートＳＴ１，ＳＴ２は閉じられつつ、シートＳＴ２、ＳＴ３間がさらに開かれている状態を示す斜視図である。また、図１４は、図１３の状態における冊子状インターフェイス部１０５の断面図であり、図１５は、図１３の状態における容量検出部５０３によって読みとられた電圧値を示すグラフである。
【００４５】
図１３は、冊子状インターフェイス部１０５のシートＳＴ１はそのままであるが、シートＳＴ２はシートＳＴ１に向かって閉じられつつあり、その結果シートＳＴ２，ＳＴ３とは開かれつつある状態となっている。シートＳＴ４はそのままの位置に置かれている。
【００４６】
このとき、図１４に示すように、シートＳＴ１，ＳＴ２の有する電極Ｅ１，Ｅ２の間隔は狭まり、一方シートＳＴ２、ＳＴ３の電極Ｅ２、Ｅ３はやや間隔が開き、シートＳＴ３，ＳＴ４の電極Ｅ３，Ｅ４は互いに重なり合うように近接して位置している。この状態において、容量検出部が読み取る電圧値は、図１５に示すようになる。
【００４７】
シート開閉状態判断部５０５は、それぞれの電圧値を第１の基準値（１０ｍＶ）、第２の基準値（１ｍＶ）と比較し、シートＳＴ１，ＳＴ２はシート捲り状態にあり、シートＳＴ２，ＳＴ３は開かれている状態にあり、シートＳＴ３，ＳＴ４は閉じられた状態にあると判定し、シート開閉状態判断部５０６は、ページ捲り状態にあるぺージＰ１およびページＰ３，Ｐ４を読み出すよう読出制御部５０６に命令する（ページＰ２は、表示されるページＰ３によって隠れる面なので表示しない）。また、シート開閉状態判断部５０５は、シートＳＴ２がページ捲り状態にあると判断し、シートＳＴ２に対応するページＰ３の画像をページ捲り途上にあるものとして表示させるよう、画像処理部５０８にページＰ３のページ画像データの画像処理を命ずる。
【００４８】
シート開閉状態判断部５０５からの命令に応じて読出制御部５０６は、ページＰ１，Ｐ３，Ｐ４に相当するページ画像データをコンテンツデータ記憶部５０２から読み出し、読み出されたページ画像データは、ページＰ３に相当するページ画像データのみ画像処理部５０８によって変形等される。画像処理されたページＰ３のデータとともにページＰ１，Ｐ４のページ画像データが表示部１０３に供給され、図１３に示すように表示部１０３に表示される。
【００４９】
［４．ページ捲り終了］
次に、図１３に示す状態に続いてシートＳＴ２が完全にシートＳＴ１と閉じた状態となり、その結果隣接するシートＳＴ２，ＳＴ３が完全に開かれた状態となった場合の電子ブックの動作例を説明する。なお、シートＳＴ４はそのままの位置にある。
【００５０】
図１６は、図１３に示す状態から冊子状インターフェイス部１０５のシートＳＴ２，ＳＴ３が開かれている状態となった斜視図である。また、図１７は、図１６の状態における冊子状インターフェイス部の断面図であり、図１８は図１６の状態における容量検出部５０３によって読みとられた電圧を示すグラフである。
【００５１】
図１６では、冊子状インターフェイス部１０５のシートＳＴ２，ＳＴ２が開かれている状態となっている。このとき、図１７に示すように、シートＳＴ２，ＳＴ３の有する電極Ｅ２，Ｅ３は大きく離間しているが、シートＳＴ１、ＳＴ２およびＳＳＴ３，Ｔ４の電極Ｅ２，Ｅ３，およびＥ３、Ｅ４はそれぞれ互いに重なり合うように近接して位置している。この状態において、容量検出部５０３が読みとった電圧値は、図１７に示すようになる。
【００５２】
シート開閉状態判断部５０５は、それぞれの電圧値を第１の基準値（１０ｍＶ）、第２の基準値（１ｍＶ）と比較し、シートＳＴ２，ＳＴ３が完全に開かれていると判断し、シートＳＴ２，ＳＴ３が完全に開かれている場合に表示するページＰ３，Ｐ４を読み出すよう読出制御部５０６に命令する。読み出されたページＰ３，Ｐ４に相当するページ画像データは、画像処理部５０８によって変形されることなく、表示部１０３に供給され、図１８に示すように表示部１０３に表示される。
【００５３】
上述のように動作することにより、ページ捲りの中間状態、すなわち読み終わったページを捲り上げた後完全に捲り終えて新らたなページを開き終えるまでのいずれかの時点の状態を検出して、この状態を表示することが可能となり、あたかも現実の文書、本、雑誌、新聞などの紙媒体による情報を読むように、電子化された文書を閲覧することが可能となる。
【００５４】
［変形例］
本実施の形態は、上記の構成に限定されることはなく、以下のように変形しても成立する。
【００５５】
［１．表示部、コンテンツデータ記憶部との分離、及びこれらとの無線接続など］
前記実施の形態にかかる電子ブックは、表示部１０３およびコンテンツデータ記憶部５０２が電子ブック１００の一部として設けられていたが、表示部１０３およびコンテンツデータ記憶部５０２のいずれか一方、又は双方は、ページ開閉状態入力装置１０４と通信回線、通信網などによって接続され、ページ開閉状態入力装置１０４と離れて配置される構成としてもよい。
【００５６】
たとえば、表示部１０３としてコンピュータ用ディスプレイ装置やテレビモニタ装置を用い、これらとページ開閉状態入力装置１０４とをＬＡＮケーブル、無線ＬＡＮ、赤外線通信などの通信手段に接続するようにしてもよい。かかる構成によれば、ユーザは表示部１０３として機能する大型モニタなどを利用しながら、そこから数メートル離れた位置で、手元でページ開閉状態入力装置１０４によるページ捲り操作により電子化された文書を、現実の本などを扱うのと同様の操作感で、閲覧することが可能となる。
【００５７】
また、上記の構成において大型モニタなどで拡大された画像を表示するようにすれば、通常の書籍などでは文字が小さくて読みにくいという不満を有するユーザにより読みやすい電子文書を提供する装置としても機能する。
【００５８】
また、コンテンツデータ記憶部５０２として電子ブック１００のローカルな記憶手段を用いる代わりに、通信網に接続されたリモートな記憶手段、記憶領域を使用する構成としても本発明は成立する。たとえば、電子ブック１００にインターネットなどの通信網接続機能を与え、ユーザは電子ブック１００の通信網接続機能を用いて、通信網に接続されたリソースから電子化された文書を閲覧するようにすることもできる。この場合、ユーザは通信網上に存在する膨大な数の様々な電子化された文書をページ開閉状態入力装置１０４によるページ捲り操作により電子化された文書を、現実の本などを扱うのと同様の操作感で、閲覧することが可能となる。
【００５９】
［２．シート開閉状態判断部について］
前記実施の形態の説明において、シート開閉状態判断部５０５は、読みとった電圧値を２つの基準値（１０ｍＶ、１ｍＶ）と比較してページの開閉状態の判断を行ったが、本発明は、必ずしも２つの基準値を使用する形態に限定されるものではない。読みとった電圧値と比較する基準値は、３以上の異なる値を用いてもよい。複数の基準値を用いてページの開閉状態の判断を判断することにより、より詳細にページの開閉状態を判定することが可能となる。また、基準値の値は上記に限定されるものでなく、電極の形状、材質などによって適宜設定されることが好ましい。
【００６０】
［３．シートの電極について］
上記実施の形態では、一枚のシートは一つの電極を有するものとしたが、一のシートに複数の電極を設けるようにしてもよい。
図１９は、一枚のシートに２つの電極を設けた例を示す図である。図に示す例では、シート１９０１は平行に配置された２つの電極１９０２，１９０３を有しており、電極はページ開閉状態入力装置に接続されている。このように配置されたシートからなる冊子状インターフェイス部１０５を用いることにより、ページ開閉状態入力装置１０４は、シートの縦方向（図面での上下方向）の傾きを扱うことが可能となり、シートの状態をより正確に電子化された文書の表示に反映させることができる。
【００６１】
図２０は、一枚のシートに２つの電極を設けた別の例を示す図である。この例では、一のシート２００１が有する２つの電極２００２，２００３はハの字型に配置されている。この電極の配置によれば、シートが斜めに捲られる（シートの一の角がユーザに持ち上げられた状態）を感知しやすくなるという利点がある。
【００６２】
図２１は、１枚のシート２１０１の四隅に電極２１０２，２１０３，２１０４，２１０５をそれぞれ配置した構成例を示す図である。この図に示す例では、このような電極の配置がなされたシートは、四隅の高さ（隣接するシートとの距離）をそれぞれ独立して検出することができるので、シート平面の傾きについて知ることが可能となり、シートの傾きの状態をより正確に電子化された文書の表示に反映させることができる。
【００６３】
なお、シートにおける電極の形状、配置、個数については上記の例に限定されるものではなく、シートの形状、大きさ、コンテンツの内容、ユーザの属性などに応じて適宜適切なものを選択して採用することができる。
【００６４】
【発明の効果】
読み終わったページを捲り上げた後完全に捲り終えて新らたなページを開き終えるまでのいずれかの時点の状態を検出して、この状態を表示することが可能な電子化されたコンテンツを閲覧する技術を提供することができる。
【００６５】
また、冊子状のインターフェイスを用いることにより、あたかも現実の文書、本、雑誌、新聞などの紙媒体による情報を読むような操作を可能とする電子化されたコンテンツを閲覧する技術を提供することができる。
【図面の簡単な説明】
【図１】開いた状態の電子ブックの一例を示す斜視図である。
【図２】閉じられつつある状態の電子ブックの一例を示す斜視図である。
【図３】冊子状インタフェース部を構成するシートの構成例を示す図である。
【図４】図３における断面線Ａ−Ａに沿った断面図である。
【図５】冊子状インターフェイス部、コンテンツデータ読出部、表示部、コンテンツデータ記憶部を示すブロック図である。
【図６】容量検出部の回路構成例を示す図である。
【図７】電子ブックが起動した後、冊子状インターフェイス部のシートが開かれている状態を示す斜視図である。
【図８】図７の状態における冊子状インターフェイス部の断面図である。
【図９】図７の状態における容量検出部によって読みとられた電圧を示すグラフである。
【図１０】冊子状インターフェイス部のシートが開かれ、シートがやや持ち上げられている状態を示す斜視図である。
【図１１】図１０の状態における冊子状インターフェイス部の断面図である。
【図１２】図１０の状態における容量検出部によって読みとられた電圧を示すグラフである。
【図１３】冊子状インターフェイス部のシートＳＴ１，ＳＴ２は閉じられつつ、シートＳＴ２、ＳＴ３間がさらに開かれている状態を示す斜視図である。
【図１４】図１３の状態における冊子状インターフェイス部の断面図である。
【図１５】図１３の状態における容量検出部によって読みとられた電圧を示すグラフである。
【図１６】図１３に示す状態から冊子状インターフェイス部のシートＳＴ２，ＳＴ３が開かれている状態となった斜視図である。
【図１７】図１６の状態における冊子状インターフェイス部の断面図である。
【図１８】図１６の状態における容量検出部によって読みとられた電圧を示すグラフである。
【図１９】一枚のシートに２つの電極を設けた例を示す図である。
【図２０】一枚のシートに２つの電極を設けた別の例を示す図である。
【図２１】１枚のシートの四隅に電極をそれぞれ配置した構成例を示す図である。
【符号の説明】
１００　…　電子ブック
１０１　…　表紙部
１０２　…　軸部
１０３　…　表示部
１０４　…　ページ開閉状態入力装置
１０５　…　冊子状インターフェイス部
３０１　…　シート
３０２　…　電極
５０１　…　コンテンツデータ読出部
５０２　…　コンテンツデータ記憶部
５０３　…　容量検出部
５０４　…　電圧メモリー部
５０５　…　シート開閉状態判断部
５０６　…　読出制御部
５０７　…　画像データバッファ
５０８　…　画像処理部
【図１】
2004145553.tif 000003
【図２】
2004145553.tif 000004
【図３】
2004145553.tif 000005
【図４】
2004145553.tif 000006
【図５】
2004145553.tif 000007
【図６】
2004145553.tif 000008
【図７】
2004145553.tif 000009
【図８】
2004145553.tif 000010
【図９】
2004145553.tif 000011
【図１０】
2004145553.tif 000012
【図１１】
2004145553.tif 000013
【図１２】
2004145553.tif 000014
【図１３】
2004145553.tif 000015
【図１４】
2004145553.tif 000016
【図１５】
2004145553.tif 000017
【図１６】
2004145553.tif 000018
【図１７】
2004145553.tif 000019
【図１８】
2004145553.tif 000020
【図１９】
2004145553.tif 000021
【図２０】
2004145553.tif 000022
【図２１】
2004145553.tif 000023